(57)【要約】      （修正有）【課題】内容物を密封包装する袋において、その開口を大きく保持することができ、内容物の取り出しを容易に行えるようにした、スタンディング広口形態の包装袋を提供する。【解決手段】プラスチックフィルムからなり、上部にチャックテープ２を備え、両側にサイドシール部１１を幅５〜１０ｍｍで備え、充填容積での寸法として幅は１８０〜２５０ｍｍ長さ１８０〜２５０ｍｍの略正方体であり、プラスチックの材質は５０〜１２０ミクロンの二種のポリエステルフイルムとポリエチレンフイルムとの三層ラミネート構造にした片面チャック付き袋体であって、袋体の片面に摘み部付チャックテープ２を１８０〜２２０ｍｍの長さに取り付けて、袋体内部はポリエチレンフイルムで覆われており、底部８にスタンディング形態の縦方向幅１００〜１５０ｍｍにしたガセット部４を形成した。【選択図】図１
0003223620.tif 000002
【実用新案登録請求の範囲】
【請求項１】
プラスチックフィルムからなり、上部にチャックテープを備え、両側にサイドシール部を幅５〜１０ｍｍで、充填容積での寸法として幅は１８０〜２５０ｍｍ長さ１８０〜２５０ｍｍの略正方体であり、プラスチックの材質は５０〜１２０ミクロンの二種のポリエステルフイルムとポリエチレンフイルムとの三層ラミネート構造にした片面チャック付き袋体において、
前記袋体の片面に摘み部付前記チャックテープを１８０〜２２０ｍｍの長さに取り付けて、袋体内部がポリエチレンフイルムで覆われており、底部をスタンディング形態の縦方向幅１００〜１５０ｍｍにしたガセット部を形成した包装袋体であることを特徴とするスタンディング広口形態の包装袋。
【請求項２】
二種のポリエステルフイルムとポリエチレンフイルムとの三層ラミネートの略正方形の袋体に取り付けている前記摘み部付前記チャックテープは、前記袋体の片面の上部から４０〜６０ｍｍの位置で横方向に１８０〜２２０ｍｍの長さに幅一杯にヒートシールされて固定されており、前記袋体は、チャック付三層ラミネート正方体シートとチャックなしの三層ラミネート正方体シートとを両端部を張り合わせた前駆体に、４０〜６０ｍｍの幅で折り畳んだ三層ラミネートシートを、前記袋体の前駆体の底部から挿入して、底部全体に高さ４０〜６０ｍｍの位置にＶ字谷型状でヒートシールによって密着されており、底部がガゼット状態になるように谷型にヒートシールを行って、ラミシートを折り返してなるガセット部を設けた自立袋形式に形成されていることを特徴とする請求項１に記載のスタンディング広口形態の包装袋。
【請求項３】
１〜２ｋｇの粒状、及び粉状米穀類の収納可能な前記袋体においては、上部において内容物を充填後にそれぞれ５〜１０ｍｍでヒートシールを行い、前記シート状袋体が、５０〜１２０ミクロンの三層ラミネートフイルムにして、前記袋が、その長さと幅の比率が、長さが１に対して幅が０．９〜１．１の範囲となるように形成されていることを特徴とする請求項１、又は請求項２に記載のスタンディング広口形態の包装袋。
【請求項４】
三層ラミネートのシートを袋状にヒートシールしてなる袋体において、前記袋体の片面のフィルム面に取り付けた１８０〜２２０ｍｍの長さのチャックテープで開封して開口させる時、及び該口部を閉口する時において、前記袋体の開口或いは閉口できる片面上部に取り付けられる摘み部付チャックテープとで形成されるチャック付き包装袋であって、前記チャックテープは雄型テープ部材と雌型テープ部材で片面同一面に構成され、前記チャックテープは上部側の嵌合強度が底部側のガセット部での重量に対応できるように接着形成されていることを特徴とする請求項１〜請求項３のいずれかに記載のスタンディング広口形態の包装袋。
【請求項５】
５０〜１００ミクロンの二種のポリエステルフイルムとポリエチレンフイルムとの三層ラミネートした片面チャック付き袋体は、外面に１２〜２０ミクロンのポリエステルフイルムと中間部に１２〜２０ミクロンのバリア性ポリエステルフイルムと内面に４０〜６０ミクロンの低密度ポリエチレンフイルムにした三層ラミネート状シートにして、外面のフイルムに印刷を可能にして、内面フイルムに静電防止を行い、酸素透過防止をおこなっており、前記袋体が、底部に１２〜２０ミクロンのバリア性ポリエステルフイルムと４０〜６０ミクロンの低密度ポリエチレンフイルムにした二層ラミネートを内側に折り返してなるガセット部を設けた自立袋形式に形成され、且つ、前記底部のガセット部は、両側部の所定幅の谷形形状領域のみが、所定幅でヒートシールされ、前記テープ状シートが、その縦方向に沿って、幅方向の一部または全体が筒状となるように熱成形されて熱着されて、前記袋の口部に、上部に摘み部付チャックテープが設けられていることを特徴とする請求項１〜請求項４のいずれかに記載のスタンディング広口形態の包装袋。
【考案の詳細な説明】
【技術分野】
【０００１】本考案は、内容物を密封包装する積層フィルム製の袋において、袋の一端の口部に簡単な開口保持部材を取り付けることにより、その開口を大きく保持することができ、内容物の取り出しを容易に行えるようにした開口保持機能付き袋で、底部ガセット部が形成され、スタンディング形態の包装袋に関する。
【背景技術】
【０００２】  従来、積層フィルム製の袋は、ガラス瓶や金属缶、或いは各種のプラスチック成形容器などの剛性容器と比較して、空容器が嵩張らず、軽量で使用材料も少なくて済み、経済性に優れると共に、廃棄処理も容易であることから、固形物を始めとして、粒状、顆粒状、粉状、或いは液状など多種類の内容物の包装容器として広範囲の分野で使用されるようになっている。しかし、積層フィルム製の袋は、柔軟性材料による容器であり、種々の利点を有する反面、袋に充填された内容物を取り出す際に、袋の口部を開封して両側に開口させた後、手を離すと、積層フィルムの弾性により開口部が元の状態に戻り、口部が狭くなり内容物を取り出し難くなる問題があった。この問題を解決するために、例えば、袋の口部の周囲に塑性変形し易い針金などの金属線を封入する方法があった。しかし、金属線を封入すると使用後の廃棄処理の際に、焼却しても燃えカスとして残り廃棄処理が難しくなる問題があった。このため金属線に代わる材料で、廃棄処理が容易で且つ塑性変形し易く、袋の開口を保持できる部材の開発が行われ、その部材を取り付けて袋の開口を保持できるようにした袋が種々提案されている。【０００３】  このような開口保持機能を付与した袋としては、例えば、〔１〕「袋口の形状を保持できる袋」として、プラスチック袋の袋口に沿って、好ましくは袋口の外側に、プラスチック製、好ましくはポリオレフィン製の形状保持テープが融着又は接着されており、該形状保持テープは長さ方向に、総延伸倍率１０〜４０倍に圧延延伸されたプラスチックテープであり、任意の部位を曲げた場合に、任意の角度に容易に曲がり、次に異なる曲げ角度に修正する力が加わるまでは、先の曲げ角度を保持できるようにした袋がある（特許文献１参照）。【０００４】  また、〔２〕「形状保持テープおよび包装袋」として、形状保持テープを、主鎖にベンゼン環を有する熱可塑性樹脂を主成分とする形状保持層を含む構成としたもの、前記形状保持層をポリエチレンテレフタレートを主成分として構成したもの、前記形状保持層を非晶性ポリエチレンテレフタレートを主成分として構成したもの、また、前記形状保持層をポリブチレンテレフタレートを主成分として構成したものとし、これらのいずれかの形状保持テープを熱可塑性樹脂からなる包装袋の開口部周縁に沿って設けた包装袋がある（特許文献２参照）。【０００５】  しかしながら、前記特許文献１に記載された「袋口の形状を保持できる袋」では、その形状保持テープをプラスチック製、好ましくはポリオレフィン製として、長さ方向に、総延伸倍率１０〜４０倍に圧延延伸して作製したものであり、その延伸加工は比較的低速となり生産性に劣り、コスト面でも高価になる問題があった。また、形状保持テープ自体はプラスチック製であり、良好な形状保持効果を得るためには相応の厚みと幅が必要であるため、プラスチック袋におけるプラスチックの使用量を増すことになり、廃棄処理の観点でも好ましくなかった。【０００６】  また、前記特許文献２に記載された「形状保持テープおよび包装袋」でも、その形状保持テープは、図２にも示されているように、熱可塑性樹脂を主成分とする形状保持層と、その周囲を囲むか、またはその両��に積層されたヒートシール層からなるものであり、形状保持層についても有効な形状保持効果を得るためには、その配合を適正に行う必要があり、製造工程が複雑でありコストも高価になる問題があった。また、この場合も、形状保持テープは、その形状保持層およびヒートシール層とも熱可塑性樹脂を主体とするものであり、熱可塑性樹脂からなる包装袋における熱可塑性樹脂の使用量を増す方向であり、廃棄処理の観点でも好ましくなかった。【０００７】開口保持機能付き袋に関し、更に詳しくは、内容物を密封包装する積層フィルム製の袋において、袋の一端の口部に簡単な開口保持部材を取り付けることにより、袋の口部を開封して開口させた時、積層フィルムの反発力などで口部が閉じることがなく、その開口を大きく保持することができ、内容物の取り出しを容易に行えるようにした開口保持機能付き袋、更に、開口保持機能に加えて再封性を付与して、内容物が粉状や粒状などでスプーンなどで少量ずつ取り出して使用するような場合でも、容易に内容物の取り出しと袋の再封とを行えるようにした開口保持機能付き袋が提案されている（特許文献３参照）。【０００８】プラスチックフィルムからなり、上部にチャックテープを備え、両側にサイドシール部を有し、幅が１６ｍｍ以下であるチャック付き袋において、両側の前記サイドシール部には、それぞれに切り欠き部が形成されており、該切り欠き部の上端から前記チャックテープの爪部の中心までの距離は、それぞれ０ｍｍを超え、１５ｍｍ以下であることを特徴とするチャック付き袋が提供される。（特許文献４参照）【０００９】少なくとも表裏の面を有する袋本体と、袋本体の開口あるいは開口予定部３より底部側に取り付けられるチャックテープと、で形成されるチャック付き包装袋であって、チャックテープは雄型テープ部材と雌型テープ部材で構成され、雄型テープ部材が袋本体の表裏の面の一方に取り付けられ、雌型テープ部材が袋本体の表裏の面の他方に取り付けられ、チャックテープは上部側の嵌合強度が底部側の嵌合強度よりも大きくなっているものが提案されている（特許文献５参照）【００１０】１〜２ｋｇの粒状、及び粉状米穀類の収納可能な前記袋体で、内容物を密封包装する積層フィルム製の袋において、その開口を大きく保持することができ、特殊三層ラミネートの袋体で内容物の取り出しを容易に行えるようにした大口開口付き袋体で、底部にガセット部が形成され、スタンディング広口形態の包装袋はほとんど存在していない。
【先行技術文献】
【特許文献】
【００１１】
【特許文献１】特開２００５−８８８９３号公報
【特許文献２】特開２００４−２４４０２３号公報
【特許文献３】特開２００７−１９１２００号公報
【特許文献４】特開２０１８−１７７２５４号公報
【特許文献５】特開２０１６−９８０３３号公報
【考案の概要】
【考案が解決しようとする課題】
【００１２】  本考案は、前記のような問題点を解決するためになされたものであり、その課題は、１〜２ｋｇの粒状、及び粉状米穀類の収納可能な前記袋体において、計量カップが容易に入れられる大口タイプ、或いはハサミなどの刃物を使用せずに簡単に開封できる、或いは内容物を容器からすべて簡単に取り出しできる、或いは粒状、及び粉状米穀類を酸化や乾燥を防ぐ、或いは製造が簡単で生産性がよくコストも安く、また、袋の口部を大きく且つ安定して開口させることができ、内容物が粉状や粒状などを容易に、且つ安全に取り出すことができる袋体を持つことであり、底部をスタンディング形態のガセット部を形成されて、適当量の粉状や粒状を収納できる広開口のスタンディング包装袋を提供することである。【００１３】  上記で挙げたように酸素劣化を防ぐ、安全保存できる機能を持つ包装袋体は、両側面一対の胴材の端部周囲をヒートシールして収容部を形成し、或いは内容物を静電気によるクッツキを防止して容器からすべて簡単に取り出しでき、粒状、及び粉状米穀類を酸化や乾燥を防ぐことであり、この袋体の収容部に米穀類の内容物を収容してあり、ヒートシール部の一部分に開封用チャックをもつ摘み部付記チャックテープを取り付けた包装袋についても、ガセット部を形成した包装袋であるスタンディング広口形態の包装袋体も望まれる。現在のところそのような包装袋は見当たらないのが実情である。【００１４】  本考案は、このような事情に鑑みてなされたものであり、その目的とするところは、酸素劣化を防ぐ、安全保存でき、内容物を収納と取り出しで取り扱いが簡単である摘み部付記チャックテープであるチャック付きスタンディング包装袋体を提供することにある。
【課題を解決するための手段】
【００１５】プラスチックフィルムからなり、上部にチャックテープを備え、両側にサイドシール部を幅５〜１０ｍｍで、充填容積での寸法として幅は１８０〜２５０ｍｍ長さ１８０〜２５０ｍｍの略正方体であり、プラスチックの材質は５０〜１２０ミクロンの二種のポリエステルフイルム（静防ＰＥＴ部、バリアＰＥＴ部）とポリエチレンフイルム（ＬＬＤＰＥ部）との三層ラミネート構造にした片面チャック付き袋体において、
前記袋体の片面に摘み部付前記チャックテープを１８０〜２２０ｍｍの長さに取り付けて、袋体内部にポリエチレンフイルムで覆われており、底部をスタンディング形態の縦方向幅１００〜１５０ｍｍにしたガセット部を形成した包装袋体であるスタンディング広口形態の包装袋である。【００１６】二種のポリエステルフイルムとポリエチレンフイルムとの三層ラミネートの略正方形の袋体に取り付けている前記摘み部付前記チャックテープは、前記袋体の片面の上部から４０〜６０ｍｍの位置で横方向１８０〜２２０ｍｍの長さに幅一杯にヒートシールされて固定されており、前記袋体は、チャック付三層ラミネート正方体シートとチャックなしの三層ラミネート正方体シートとを両端部を張り合わせた前駆体に、４０〜６０ｍｍの幅で折り畳んだ三層ラミネートシートを、前記袋体の前駆体の底部から挿入して、底部全体に高さ４０〜６０ｍｍの位置にＶ字谷型状でヒートシールによって密着されており、底部がガゼット状態になるように谷型にヒートシールを行って、ラミシートを折り返してなるガセット部を設けた自立袋形式に形成されている。【００１７】１〜２ｋｇの粒状、及び粉状米穀類の収納可能な前記袋体においては、上部において内容物を充填後にそれぞれ５〜１５ｍｍでヒートシールを行い、前記シート状袋体が、５０〜１２０ミクロンの三層ラミネートフイルムにして、前記袋が、その長さと幅の比率が、長さが１に対して幅が０．９〜１．１の範囲となるように形成されている。【００１８】三層ラミネートのシートを袋状にヒートシールしてなる袋体において、前記袋体の片面のフィルム面に取り付けた１８０〜２２０ｍｍの長さのチャックテープで開封して開口させる時、及び該口部を閉口する時において、前記袋体の開口或いは閉口できる片面上部に取り付けられる摘み部付チャックテープとで形成されるチャック付き包装袋であって、前記チャックテープは雄型テープ部材と雌型テープ部材で片面に構成され、前記雄型テープ部材が前記袋本体の片面に取り付けられ、前記チャックテープは上部側の嵌合強度が底部側の嵌合強度の調整できるように形成されている。【００１９】５０〜１００ミクロンの二種のポリエステルフイルムとポリエチレンフイルムとの三層ラミネートした片面チャック付き袋体は、外面に１２〜２０ミクロンのポリエステルフイルムと中間部に１２〜２０ミクロンのバリア性ポリエステルフイルムと内面に４０〜６０ミクロンの低密度ポリエチレンフイルムにした三層ラミネート状シートにして、外面のフイルムに印刷を可能にして、内面フイルムに静電防止を行い、酸素透過防止をおこなっており、前記袋体が、底部に１２〜２０ミクロンのバリア性ポリエステルフイルムと４０〜６０ミクロンロンの低密度ポリエチレンフイルムにした二層ラミネートを内側に折り返してなるガセット部を設けた自立袋形式に形成され、且つ、前記底部のガセット部は、両側部の所定幅の谷形形状領域のみが、所定幅でヒートシールされ、前記テープ状シートが、その縦方向に沿って、幅方向の一部または全体が筒状となるように熱成形されて熱着されて、前記袋の口部に、上部に摘み部付チャックテープが設けられている。
【考案の効果】
【００２０】スタンディング形態の包装袋体は、袋に充填された内容物を取り出す際に、袋の一端の口部を開封した後、開口部を開いて大きく開口させ、口部の三層ラミネートに貼着されているテープ状シートを、袋の口部を大きく開口させた状態に保持することができ、三層ラミネートフイルムの各特性から、静電気防止による内容物の取り出しを容易に行えるとともに、外表面に好みのプリントが容易になるようになる。また袋に充填された内容物を少量ずつ取り出して使用する場合でも、取り出し後、片側面でのチャックテープによって再封することにより、次回の使用まで安全に、しかも完全に封印して保存することができる。【００２１】前記スタンディング広口形態の包装袋が、計量カップが容易に入れられる大口タイプ、或いはハサミなどの刃物を使用せずに簡単に開封できる、或いは内容物を容器からすべて簡単に取り出しできる、或いは粒状、及び粉状米穀類を酸化や乾燥を防ぐ、或いは製造が簡単で生産性がよくコストも安く、ポリエステル系−ポリエチレン系三層ラミネート樹脂層を積層した積層シートで形成された構成としているので、前記ポリエステル系―ポリエチレン系の積層樹脂層を、チャックテープのテープ体部の樹脂に対応して、これらと熱接着可能な樹脂を選定して使用することにより、優れた性能の開口保持機能付き袋を生産性よく製造できるようになる。
内容物を充填した袋は、底部が前後に大きく広がると共に、ガセット部の内側に折り込まれた積層フィルムにより底面が形成されるので自立性が備わり、袋の取り扱いや内容物の取り出し操作などを一層容易に行えるようになる。特に、底部のガセット部の下側端縁部はヒートシールを行わず、積層フィルムの折り返しで形成しているので、内容物の取り出しなどの際に、袋の底部を手のひらで支えても、摘み部付ヒートシール部の端部のように、ソフトな手触りで袋体を持つことができる。【００２２】  前記スタンディング広口形態の包装袋のテープ状シートが、その長手方向に沿って、幅方向の一部または全体が筒状となるように熱着された構成としているので、テープ状シートの長手方向の剛度が一層高められるので、折りクセも強くでき、テープ状シートによる広い開口になっており、前記袋体を、その長さと幅の比率が、長さが１に対して幅が０．９〜１．１の範囲となるように形成した構成としているので、袋の形状、特に開封後の袋の形状を横長に形成できるので、袋の口部を大きく且つ袋の深さを浅くすることができ、内容物が粒状や粉状を一層容易に取り出すことができる。
【図面の簡単な説明】
【００２３】
【図１】スタンディング広口形態の包装袋の斜視図
【図２】スタンディング広口形態の包装袋の底部でスタンディング形態のガセット部の斜視図
【図３】スタンディング広口形態の包装袋のチャックテープを備えた上部図
【図４】スタンディング広口形態の包装袋にお米を収納した状態の斜視図
【図５】スタンディング広口形態の包装袋の表面を装飾した状態の斜視図
【図６】スタンディング広口形態の包装袋における積層フイルムの断面図  Ａ：本体フイルム部  Ｂ：底フイルム部
【考案を実施するための形態】
【００２４】  以下、この考案の実施例を具体的に説明する。ここでは、穀物類を充填したスタンドパックの状態状況を例とする。
【実施例１】
【００２５】図１に示すようにスタンディング広口形態の包装袋はプラスチックフィルムからなり、上部にチャックテープを備え、両側にサイドシール部を幅５ｍｍで、充填容積での寸法として幅は２１０ｍｍ長さ２１０ｍｍの略正方体であり、プラスチックの材質は８０ミクロンの二種のポリエステルフイルムとポリエチレンフイルムとの三層ラミネート構造にした片面チャック付き袋体において、
前記袋体の片面に摘み部付前記チャックテープを２１０ｍｍの長さに取り付けて、袋体内部にポリエチレンフイルムで覆われており、底部をスタンディング形態の縦方向幅１２０ｍｍにしたガセット部を形成した包装袋体であるスタンディング広口形態の包装袋であった。【００２６】二種のポリエステルフイルムとポリエチレンフイルムとの三層ラミネートの略正方形の袋体に取り付けている前記摘み部付前記チャックテープは、前記袋体の片面の上部から５０ｍｍの位置で横方向２２０ｍｍの長さに幅一杯にヒートシールされて固定されており、前記袋体は、チャック付三層ラミネート正方体シートとチャックなしの二層ラミネート正方体シートとを両端部を張り合わせた前駆体に、５５ｍｍの幅で折り畳んだ三層ラミネートシートを、前記袋体の前駆体の底部から挿入して、底部全体に高さ５５ｍｍの位置にＶ字谷型状でヒートシールによって密着されており、底部がガゼット状態になるように谷型にヒートシールを行って、ラミシートを折り返してなるガセット部を設けた自立袋形式に形成された。【００２７】２ｋｇの粒状米穀類の収納可能な前記袋体においては、上部において内容物を充填後にそれぞれ５ｍｍでヒートシールを行い、前記シート状袋体が８０ミクロンの三層ラミネートフイルムにして、前記袋が、その長さと幅の比率が、長さが１に対して幅が１の範囲となるように形成された。【００２８】三層ラミネートのシートを袋状にヒートシールしてなる袋体において、前記袋体の片面のフィルム面に取り付けた２２０ｍｍの長さのチャックテープで開封して開口させる時、及び該口部を閉口する時において、前記袋体の開口或いは閉口できる片面上部に取り付けられる摘み部付チャックテープとで形成されるチャック付き包装袋であって、前記チャックテープは雄型テープ部材と雌型テープ部材で片面に構成され、前記チャックテープは上部側の嵌合強度が底部側の嵌合強度の調整できるように形成された。【００２９】８０ミクロンの二種のポリエステルフイルムとポリエチレンフイルムとの三層ラミネートした片面チャック付き袋体は、外面に１５ミクロンのポリエステルフイルムと中間部に１５ミクロンのバリア性ポリエステルフイルムと内面に５０ミクロンの低密度ポリエチレンフイルムにした二層ラミネート状シートにして、外部面に印刷を可能にして、内部面に静電防止を行い、酸素流通防止をおこなっており、前記袋体が、底部に二層ラミネートを内側に折り返してなるガセット部を設けた自立袋形式に形成され、且つ、前記底部のガセット部は、両側部の所定幅の谷形形状領域のみが、所定幅でヒートシールされ、前記テープ状シートが、その縦方向に沿って、幅方向の一部または全体が筒状となるように熱成形されて熱着されて、前記袋の口部に、上部に摘み部付チャックテープが設けられた。
【実施例２】
【００３０】プラスチックフィルムからなり、上部にチャックテープを備え、両側にサイドシール部を幅５ｍｍで、充填容積での寸法として幅は１８０ｍｍ長さ１８０ｍｍの略正方体であり、プラスチックの材質は８０ミクロンの二種のポリエステルフイルムとポリエチレンフイルムとの三層ラミネート構造にした片面チャック付き袋体において、
前記袋体の片面に摘み部付前記チャックテープを１８０ｍｍの長さに取り付けて、袋体内部にポリエチレンフイルムで覆われており、底部をスタンディング形態の縦方向幅１１０ｍｍにしたガセット部を形成した包装袋体であるスタンディング広口形態の包装袋である。【００３１】二種のポリエステルフイルムとポリエチレンフイルムとの三層ラミネートの略正方形の袋体に取り付けている前記摘み部付前記チャックテープは、前記袋体の片面の上部から５０ｍｍの位置で横方向１８０ｍｍの長さに幅一杯にヒートシールされて固定されており、前記袋体は、チャック付三層ラミネート正方体シートとチャックなしの三層ラミネート正方体シートとを両端部を張り合わせた前駆体に、５０ｍｍの幅で折り畳んだ二層ラミネートシートを、前記袋体の前駆体の底部から挿入して、底部全体に高さ５０ｍｍの位置にＵ字谷型状でヒートシールによって密着されており、底部がガゼット状態になるように谷型にヒートシールを行って、ラミシートを折り返してなるガセット部を設けた自立袋形式に形成されている。【００３２】１ｋｇの粒状米穀類の収納可能な前記袋体においては、上部において内容物を充填後にそれぞれ５ｍｍでヒートシールを行い、前記シート状袋体が、８０ミクロンの三層ラミネートフイルムにして、前記袋が、その長さと幅の比率が、長さが１に対して幅が１の範囲となるように形成されている。【００３３】三層ラミネートのシートを袋状にヒートシールしてなる袋体において、前記袋体の片面のフィルム面に取り付けた１８０ｍｍの長さのチャックテープで開封して開口させる時、及び該口部を閉口する時において、前記袋体の開口或いは閉口できる片面上部に取り付けられる摘み部付チャックテープとで形成されるチャック付き包装袋であって、前記チャックテープは雄型テープ部材と雌型テープ部材で片面に構成され、前記雄型テープ部材が前記袋本体の片面に取り付けられ、前記チャックテープは上部側の嵌合強度が底部側の嵌合強度の調整できるように形成されている。【００３４】８０ミクロンの二種のポリエステルフイルムとポリエチレンフイルムとの三層ラミネートした片面チャック付き袋体は、外面に１５ミクロンのポリエステルフイルムと中間部に１５ミクロンのバリア性ポリエステルフイルムと内面に５０ミクロンの高密度ポリエチレンフイルムにした三層ラミネート状シートにして、外部面に印刷を可能にして、内部面に静電防止を行い、酸素流通防止をおこなっており、前記袋体が、底部に三層ラミネートを内側に折り返してなるガセット部を設けた自立袋形式に形成され、且つ、前記底部のガセット部は、両側部の所定幅の谷形形状領域のみが、所定幅でヒートシールされ、前記テープ状シートが、その縦方向に沿って、幅方向の一部または全体が筒状となるように熱成形されて熱着されて、前記袋の口部に、上部に摘み部付チャックテープが設けられている。
【符号の説明】
【００３５】１  スタンディング形態の包装袋
２  チャックテープ
３  ヒートシール
４  ガセット部
５  胴体部
６  上部
７  テープ状シート
８  底部
９ａ  積層フィルム（静防ＰＥＴ部）
９ｂ  積層フィルム（バリアＰＥＴ部）
９ｃ  積層フィルム（ＬＬＤＰＥ部）
１０ａ  積層フィルム（バリアＰＥＴ部）
１０ｂ  積層フィルム（ＬＬＤＰＥ部）
１１  サイトシール部
１２  切り欠き部
１３  爪部
１４  穀類
１５  棚
１６  プリント部
【図１】
0003223620.tif 000003
【図２】
0003223620.tif 000004
【図３】
0003223620.tif 000005
【図４】
0003223620.tif 000006
【図５】
0003223620.tif 000007
【図６】
0003223620.tif 000008
【手続補正書】
【提出日】令和1年5月31日(2019.5.31)
【手続補正１】
【補正対象書類名】実用新案登録請求の範囲
【補正対象項目名】全文
【補正方法】変更
【補正の内容】
【実用新案登録請求の範囲】
【請求項１】
プラスチックフィルムからなり、上部にチャックテープを備え、両側にサイドシール部を幅５〜１０ｍｍで、充填容積での寸法として幅は１８０〜２５０ｍｍ長さ１８０〜２５０ｍｍの略正方体であり、プラスチックの材質は二種のポリエステルフイルムとポリエチレンフイルムとからなる三層ラミネート構造で、その三層の厚みが６４〜１２０ミクロンの片面チャック付き袋体において、前記袋体の片面に摘み部付前記チャックテープを１８０〜２２０ｍｍの長さに取り付けて、袋体内部がポリエチレンフイルムで覆われており、底部をスタンディング形態の縦方向幅１００〜１５０ｍｍにしたガセット部を形成した包装袋体であることを特徴とするスタンディング広口形態の包装袋。
【請求項２】
二種のポリエステルフイルムとポリエチレンフイルムとの三層ラミネートの略正方形の袋体に取り付けている前記摘み部付前記チャックテープは、前記袋体の片面の上部から４０〜６０ｍｍの位置で横方向に１８０〜２２０ｍｍの長さに幅一杯にヒートシールされて固定されており、前記袋体は、チャック付三層ラミネート正方体シートとチャックなしの三層ラミネート正方体シートとを両端部を張り合わせた前駆体に、４０〜６０ｍｍの幅で折り畳んだ三層ラミネートシートを、前記袋体の前駆体の底部から挿入して、底部全体に高さ４０〜６０ｍｍの位置にＶ字谷型状でヒートシールによって密着されており、底部がガゼット状態になるように谷型にヒートシールを行って、ラミシートを折り返してなるガセット部を設けた自立袋形式に形成されていることを特徴とする請求項１に記載のスタンディング広口形態の包装袋。
【請求項３】
１〜２ｋｇの粒状、及び粉状米穀類の収納可能な前記袋体においては、上部から内容物を充填後に、シール幅が５〜１０ｍｍ幅でヒートシールを行い、前記シート状袋体が、５０〜１２０ミクロンの三層ラミネートフイルムにして、前記袋が、その長さと幅の比率が、長さが１に対して幅が０．９〜１．１の範囲となるように形成されていることを特徴とする請求項１、又は請求項２に記載のスタンディング広口形態の包装袋。
【請求項４】
三層ラミネートのシートを袋状にヒートシールしてなる袋体において、前記袋体の片面のフィルム面に取り付けた１８０〜２２０ｍｍ長さのチャックテープで開封して開口させる時、及び該口部を閉口する時において、前記袋体の開口或いは閉口できる片面上部に取り付けられる摘み部付チャックテープとで形成されるチャック付き包装袋であって、前記チャックテープは雄型テープ部材と雌型テープ部材で片面同一面に構成され、前記チャックテープは上部側の嵌合強度が底部側のガセット部での重量に対応できるように接着形成されていることを特徴とする請求項１〜請求項３のいずれかに記載のスタンディング広口形態の包装袋。
【請求項５】
二種のポリエステルフイルムとポリエチレンフイルムとからなる三層ラミネート構造で、その三層の厚みが６４〜１２０ミクロンの片面チャック付き袋体は、外面に１２〜２０ミクロンの厚みのポリエステルフイルムと中間部に１２〜２０ミクロンの厚みのバリア性ポリエステルフイルムと内面に４０〜６０ミクロンの厚みの低密度ポリエチレンフイルムを張り合わせた三層ラミネート状シートであり、外面のフイルムに印刷を可能にして、内面フイルムに静電防止を行い、酸素透過防止をおこなっている。また、前記袋体は、底部に１２〜２０ミクロンの厚みのバリア性ポリエステルフイルムと４０〜６０ミクロンの厚みの低密度ポリエチレンフイルムを貼り合わせた二層ラミネートを、内側に折り返してなるガセット部を設けた自立袋形式に形成され、且つ、前記底部のガセット部は、両側部の所定幅の谷形形状領域のみが、所定幅でヒートシールされ、前記三層ラミネート状シートが、その縦方向に沿って、横幅方向で一部または全体が筒状となるように熱成形により熱着され、前記袋の上部に摘み部付チャックテープが設けられていることを特徴とする請求項１〜請求項４のいずれかに記載のスタンディング広口形態の包装袋。
【手続補正書】
【提出日】令和1年7月31日(2019.7.31)
【手続補正１】
【補正対象書類名】実用新案登録請求の範囲
【補正対象項目名】全文
【補正方法】変更
【補正の内容】
【実用新案登録請求の範囲】
【請求項１】
プラスチックフィルムからなり、上部にチャックテープを備え、両側にサイドシール部を幅５〜１０ｍｍで、充填容積での寸法として幅は１８０〜２５０ｍｍ長さ１８０〜２５０ｍｍの略正方体であり、プラスチックの材質は二種のポリエステルフイルムとポリエチレンフイルムとからなる三層ラミネート構造で、その三層の厚みが６４〜１２０ミクロンの片面チャック付き袋体において、前記袋体の片面に摘み部付前記チャックテープを１８０〜２２０ｍｍの長さに取り付けて、袋体内部がポリエチレンフイルムで覆われており、底部をスタンディング形態の縦方向幅１００〜１５０ｍｍにしたガセット部を形成した包装袋体であることを特徴とするスタンディング広口形態の包装袋。
【請求項２】
二種のポリエステルフイルムとポリエチレンフイルムとの三層ラミネートの略正方形の袋体に取り付けている前記摘み部付前記チャックテープは、前記袋体の片面の上部から４０〜６０ｍｍの位置で横方向に１８０〜２２０ｍｍの長さに幅一杯にヒートシールされて固定されており、前記袋体は、チャック付三層ラミネート正方体シートとチャックなしの三層ラミネート正方体シートとを両端部を張り合わせた前駆体に、４０〜６０ｍｍの幅で折り畳んだ三層ラミネートシートを、前記袋体の前駆体の底部から挿入して、底部全体に高さ４０〜６０ｍｍの位置にＶ字谷型状でヒートシールによって密着されており、底部がガゼット状態になるように谷型にヒートシールを行って、ラミシートを折り返してなるガセット部を設けた自立袋形式に形成されていることを特徴とする請求項１に記載のスタンディング広口形態の包装袋。
【請求項３】
１〜２ｋｇの粒状、及び粉状米穀類の収納可能な前記袋体においては、上部から内容物を充填後に、シール幅が５〜１０ｍｍ幅でヒートシールを行い、前記シート状袋体が、６４〜１２０ミクロンの三層ラミネートフイルムにして、前記袋が、その長さと幅の比率が、長さが１に対して幅が０．９〜１．１の範囲となるように形成されていることを特徴とする請求項１、又は請求項２に記載のスタンディング広口形態の包装袋。
【請求項４】
三層ラミネートのシートを袋状にヒートシールしてなる袋体において、前記袋体の片面のフィルム面に取り付けた１８０〜２２０ｍｍ長さのチャックテープで開封して開口させる時、及び該口部を閉口する時において、前記袋体の開口或いは閉口できる片面上部に取り付けられる摘み部付チャックテープとで形成されるチャック付き包装袋であって、前記チャックテープは雄型テープ部材と雌型テープ部材で片面同一面に構成され、前記チャックテープは上部側の嵌合強度が底部側のガセット部での重量に対応できるように接着形成されていることを特徴とする請求項１〜請求項３のいずれかに記載のスタンディング広口形態の包装袋。
【請求項５】
二種のポリエステルフイルムとポリエチレンフイルムとからなる三層ラミネート構造で、その三層の厚みが６４〜１２０ミクロンの片面チャック付き袋体は、外面に１２〜２０ミクロンの厚みのポリエステルフイルムと中間部に１２〜２０ミクロンの厚みのバリア性ポリエステルフイルムと内面に４０〜６０ミクロンの厚みの低密度ポリエチレンフイルムを張り合わせた三層ラミネート状シートであり、外面のフイルムに印刷を可能にして、内面フイルムに静電防止を行い、酸素透過防止をおこなっている。また、前記袋体は、底部に１２〜２０ミクロンの厚みのバリア性ポリエステルフイルムと４０〜６０ミクロンの厚みの低密度ポリエチレンフイルムを貼り合わせた二層ラミネートを、内側に折り返してなるガセット部を設けた自立袋形式に形成され、且つ、前記底部のガセット部は、両側部の所定幅の谷形形状領域のみが、所定幅でヒートシールされ、前記三層ラミネート状シートが、その縦方向に沿って、横幅方向で一部または全体が筒状となるように熱成形により熱着され、前記袋の上部に摘み部付チャックテープが設けられていることを特徴とする請求項１〜請求項４のいずれかに記載のスタンディング広口形態の包装袋。